(57)【要約】【課題】スリンガリングによってかき揚げられた水が室外側の室外側熱交換器に満遍なくかかるようにして熱交換効率を高めるようにした一体型空気調和機を提供する。【解決手段】室外側熱交換器５に対向させたプロペラファン8aにスプラッシュ用のスリンガリング９が付設される一方、同スリンガリング９に対応して、底板３に室内側から導かれた凝縮水を溜める水受け部10が設けられてなる一体型空気調和機において、前記室外側熱交換器５を構成する等間隔で並べられた多数のフィン5aに、同フィン5aを上下に分断するスリット5cが形成されると共に、同スリット5cに吸水性を有するシート状の部材11を設けた。【選択図】  図２
2004198068.tif 000002
【特許請求の範囲】
【請求項１】
本体内をベース上に立設した仕切板により室内側と室外側とに区画し、室内側に室内側熱交換器とこれに対向した遠心ファンとを設け、室外側に室外側熱交換器とこれに対向したプロペラファンと、同プロペラファンと前記遠心ファンとを駆動するファンモータと、前記室外側熱交換器およびプロペラファンを囲む円筒状のベルマウスを備えた導風板とを設け、前記ベース上にドレン水を受ける水受け部を設けると共に、前記プロペラファンに前記水受け部に溜まった水をかき揚げて前記室外側熱交換器に散水するスリンガリングが付設されてなる一体型空気調和機において、
前記室外側熱交換器を構成する等間隔で並べられた多数のフィンに、同フィンを上下に分断するスリットが形成されると共に、同スリットに吸水性を有するシート状の部材が設けられてなることを特徴とする一体型空気調和機。
【請求項２】
前記スリットが、前記室外側熱交換器の全幅にわたって連続的に形成されると共に、前記シート状の部材が、前記室外側熱交換器の全幅にわたって連続的に設けられてなることを特徴とする請求項１に記載の一体型空気調和機。
【請求項３】
前記スリットが、前記室外側熱交換器の全幅にわたって断続的に形成されると共に、前記シート状の部材が、前記室外側熱交換器の全幅にわたって断続的に設けられてなることを特徴とする請求項１に記載の一体型空気調和機。
【発明の詳細な説明】
【０００１】
【発明の属する技術分野】
本発明は、一体型空気調和機に係わり、より詳細には、スリンガリングによってかき揚げられた水が室外側の室外側熱交換器に満遍なくかかるようにして熱交換効率を高めるようにした構造に関する。
【０００２】
【従来の技術】
従来の空気調和機の熱交換器には、伝熱管を嵌挿するフィンカーラを千鳥状に配置した複数のフィンおよび側板を長方形に形成した材料の中央部に前記フィンカーラの中間部を端部より中央に向けて斜めの切込部を設けると共に、側板の上下両端部に同両端部間を接続する接続部を設け、同伝熱管を挿通して長方形に組み立てた後、フィンおよび側板に前記伝熱管を嵌挿して長方形に組み立てた後、前記斜め切込部の切込残部をカットして上部熱交換部と下部熱交換器部とに分割し、同両熱交換部の上下を入れ替えて、前記接続部間を接続することにより左右両辺が一方に傾斜する略平行四辺形状に形成できるようにしたものがあった（例えば、特許文献１参照。）。
【０００３】
これにより、材料のカットが不要で無駄がないのでコストを低減でき、また折り曲げにより空気の流通を悪くしないので効率がよく、また、長方形のまま運ぶことが可能なため、部品としての荷扱いのよい空気調和機の熱交換器を提供できるようになっていた。
【０００４】
しかしながら、前記斜め切込部が、切込残部をカットして上部熱交換部と下部熱交換器部とに分割するために形成されたものであって、例えば該個所に吸水性を有する部材を設け、スプラッシュ機能を備えた一体型空気調和機の室外側熱交換器として使用することにより熱交換効率を向上できるようにしたものではなかった。
【０００５】
すなわち、図６で示すように、等間隔で平行に並べられた多数のフィン5aと、これに直交する伝熱管5bとで構成された室外側熱交換器５に対し、これに対向する送風ファン８に付設されたスリンガリング９によってかき揚げられた水がかけられた際、前記フィン5aが垂直状に並べられているので、例えば前記室外側熱交換器５の上部中央にかけられた水は、矢印ｅで示すように垂直状に流下してしまうことになり、前記室外側熱交換器５の全域に満遍なく行き渡らせて水冷することができないため、熱交換効率を充分に向上させることができなかった。
【０００６】
【特許文献１】
特開平１１−３７６８４号公報（第３頁、第１図乃至第３図）
【０００７】
【発明が解決しようとする課題】
本発明においては、上記の問題点に鑑み、スリンガリングによってかき揚げられた水が室外側の室外側熱交換器に満遍なくかかるようにして熱交換効率を高めるようにした一体型空気調和機を提供することを目的とする。
【０００８】
【課題を解決するための手段】
本発明は、上記課題を解決するため、本体内をベース上に立設した仕切板により室内側と室外側とに区画し、室内側に室内側熱交換器とこれに対向した遠心ファンとを設け、室外側に室外側熱交換器とこれに対向したプロペラファンと、同プロペラファンと前記遠心ファンとを駆動するファンモータと、前記室外側熱交換器およびプロペラファンを囲む円筒状のベルマウスを備えた導風板とを設け、前記ベース上にドレン水を受ける水受け部を設けると共に、前記プロペラファンに前記水受け部に溜まった水をかき揚げて前記室外側熱交換器に散水するスリンガリングが付設されてなる一体型空気調和機において、
前記室外側熱交換器を構成する等間隔で並べられた多数のフィンに、同フィンを上下に分断するスリットが形成されると共に、同スリットに吸水性を有するシート状の部材が設けられてなる構成となっている。
【０００９】
また、前記スリットが、前記室外側熱交換器の全幅にわたって連続的に形成されると共に、前記シート状の部材が、前記室外側熱交換器の全幅にわたって連続的に設けられてなる構成となっている。
【００１０】
更に、前記スリットが、前記室外側熱交換器の全幅にわたって断続的に形成されると共に、前記シート状の部材が、前記室外側熱交換器の全幅にわたって断続的に設けられてなる構成となっている。
【００１１】
【発明の実施の形態】
以下、本発明の実施の形態を図面に基づいた実施例として詳細に説明する。
図１は本発明による一体型空気調和機の平面図であり、図２は本発明による一体型空気調和機の要部斜視図であり、図３は本発明による一体型空気調和機の要部分解斜視図であり、図４は図１のＡ矢視図で示す室外側熱交換器の一例であり、図５は図１のＡ矢視図で示す室外側熱交換器の他の例である。
【００１２】
本発明による一体型空気調和機は、図で示すように、前後を開口したキャビネット１内に、仕切板２により区画された底板３上の室外側Ａに載置された圧縮機４および室外側熱交換器５と、室内側Ｂに載置された室内側熱交換器７と、これら室外側熱交換器５および室内側熱交換器７に対向させた送風機８とで構成された本体が出し入れ可能に収容されている。
【００１３】
前記送風機８は、図１で示すように、前記室外側熱交換器５に対向するプロペラファン8aと、前記室内側熱交換器７に対向する遠心ファン8bと、これらを連結して駆動し、底板３上の室外側Ａに載置されたファンモータ8cとからなる構成となっており、例えば前記プロペラファン8aは図２乃至図４で示す矢印方向に回転するようになっている。
【００１４】
前記室外側熱交換器５は、前記キャビネット１の室外側Ａの両側面に設けられた吸込口から前記プロペラファン8aによって吸い込まれ、前記底板３上の室外側Ａに立設され、円筒状のベルマウス6aを備えた導風板６によって導かれた外気を通過させて熱交換するようになっており、前記室外側熱交換器５を通過させた空気は前記キャビネット１の後部に設けられた室外側の吹出口から外部に吹き出されるようになっている。
【００１５】
前記導風板６は、前記底板３上の室外側Ａに、前記室外側熱交換器５および前記プロペラファン8aを囲むように立設されている。
【００１６】
また、前記底板３上の室外側Ａには、前記プロペラファン8aに対応した水受け部10が形成されると共に、前記プロペラファン8aには、同プロペラファン8aの回転時に前記水受け部10に溜まった水をかき揚げて前記室外側熱交換器５にかけるためのスリンガリング９が付設されている。
【００１７】
なお、前記水受け部10には、前記室内側熱交換器７から滴下した凝縮水が、図３の矢印ａで示すように、前記底板３上の室内側から室外側に流れ込むことによって溜まるようになっている。
【００１８】
前記室外側熱交換器５は、図４および図５で示すように、等間隔で平行に並べられた多数のフィン5aと、これに直交する伝熱管5bとで構成されている。
【００１９】
そして、前記室外側熱交換器５を構成するフィン5aには、同フィン5aを上下に分断するスリット5cが形成されると共に、同スリット5cには、例えば吸水性を有し、且つスポンジ類よりも強度を有した合成ゴム系からなるシート状の部材11が設けられている。
【００２０】
前記スリット5cおよび前記シート状の部材11は、一実施例として図４で示すように、前記スリット5cが、前記室外側熱交換器５の全幅にわたって連続的に形成されると共に、前記シート状の部材11が、前記室外側熱交換器５の全幅にわたって連続的に設けられた構成になっている。
【００２１】
または、前記スリット5cおよび前記シート状の部材11は、他の実施例として図５で示すように、前記スリット5cが、前記室外側熱交換器５の全幅にわたって断続的に形成されると共に、前記シート状の部材11が、前記室外側熱交換器５の全幅にわたって断続的に設けられた構成になっており、該個所の強度が劣化しすぎないようにすることで、前記スリット5cが簡単に変形してしまわないように工夫されている。
【００２２】
また、被空調室側となる前記キャビネット１の前部には、前記室内側熱交換器７に対向させた吸込口12と、同吸込口12から吸い込まれ前記室内側熱交換器７で熱交換された空気を被空調室に吹き出す吹出口13とを左右に備えた前面パネル14が着脱可能に装着されている。
【００２３】
以上の構成により、次にその動作について説明する。
前記水受け部10に溜まった水を、前記スリンガリング９によってかき揚げ、且つ前記室外側熱交換器５にかけることにより、同室外側熱交換器５を水冷して熱交換効率を向上させることができる。
【００２４】
前記スリンガリング９によってかき揚げられた水は、必ずしも前記室外側熱交換器５の全体（全域）にかけられるとは限らず、図４および図５で示す矢印ｂのように、むしろその上部中央付近に集中的にかけられることになる。
【００２５】
その際、垂直状に並べられた前記フィン5aに沿って流下した水が前記シート状の部材11によって吸水されることになる。
【００２６】
前記シート状の部材11によって吸水され飽和状態になった水は、図４および図５で示す矢印ｃのように、同シート状の部材11から前記室外側熱交換器５の下部全体（全域）につたって流下することになる。
【００２７】
これにより、前記室外側熱交換器５を効果的に水冷できるようになって、例えば、前記室外側熱交換器５を大型化したり前記プロペラファン8aの送風性能を高めたりすることなく、効果的に熱交換効率を向上できるようになる。
【００２８】
上下に分割された前記室外側熱交換器５の分割部は、同室外側熱交換器５の両側部に設けられた側板と、前記フィン5aに直交させた伝熱管5bによって簡単に変形してしまわないように支持された構成になっている。
【００２９】
また、前記シート状の部材11が、例えばスポンジ類よりも強度を有した合成ゴム系からなる構成になっているので、前記分割部が、分割された前記上部の室外側熱交換器５に不測の荷重が加わったとしても押しつぶされることがない。
【００３０】
【発明の効果】
以上説明したように、本発明によれば、スリンガリングによってかき揚げられた水が室外側の室外側熱交換器に満遍なくかかるようにして熱交換効率を高めるようにした一体型空気調和機となる。
【図面の簡単な説明】
【図１】本発明による一体型空気調和機の平面図である。
【図２】本発明による一体型空気調和機の要部斜視図である。
【図３】本発明による一体型空気調和機の要部分解斜視図である。
【図４】図１のＡ矢視図で示す室外側熱交換器の一例である。
【図５】図１のＡ矢視図で示す室外側熱交換器の他の例である。
【図６】従来例による一体型空気調和機の要部説明図である。
【符号の説明】
１  キャビネット
２  仕切板
３  底板
４  圧縮機
５  室外側熱交換器
5a  フィン
5b  伝熱管
5c  スリット
６  導風板
７  室内側熱交換器
８  送風機
8a  プロペラファン
8b  遠心ファン
8c  ファンモータ
９  スリンガリング
10  水受け部
11  シート状の部材
12  吸込口
13  吹出口
14  前面パネル
Ａ  室外側
Ｂ  室内側
【図１】
2004198068.tif 000003
【図２】
2004198068.tif 000004
【図３】
2004198068.tif 000005
【図４】
2004198068.tif 000006
【図５】
2004198068.tif 000007
【図６】
2004198068.tif 000008